(57)【要約】  【課題】  電話や電子メールを着信した際に、機器の所有者にのみ発信者情報あるいは電子メールの情報を通知するとともに、所有者以外の人間に対しては公開されないように不要な公開を制限することが可能な通知装置を提供する。  【解決手段】  通知装置は、電話あるいは電子メールが着信すると、発信元の情報を確認するとともに通知音声出力装置との間で接続されているか否かの判定を行い、接続されていれば当該発信元情報に該当する音声信号を生成して通知音声出力装置から出力する一方、接続されていなければ発信者の情報を視覚的に表示し、また発信者が特定されない所定の通知音を通知装置より出力する。  【選択図】      図３
2006325116.tif 000002
【特許請求の範囲】
【請求項１】
受信した情報を通知する通知装置であって、
接続されていれば利用者にのみ出力音が聴取可能な外部音声出力装置が接続される接続部と、
前記外部音声出力装置が前記接続部において接続されているか否かを判定する接続判定部と、
与えられる情報に基づいて読み上げ音声信号を生成する音声合成部と、を備え、
前記接続判定部によって、前記外部音声出力装置が接続されていると判定された場合には、前記音声合成部が受信した情報に基づいて読み上げ音声信号を生成し、該読み上げ音声信号が前記外部音声出力装置に与えられて前記外部音声出力装置から出力されることを特徴とする通知装置。
【請求項２】
受信した情報を解析する情報解析部と、音声読み上げ用の呼称データが所定の情報に対応したデータベースとして管理される呼称データ管理部と、を備え、
前記情報解析部によって受信した情報が発信者情報であると解析されるとともに、該発信者情報に対応する呼称データが前記呼称データ管理部に登録されている場合には、前記音声合成部が前記呼称データに基づいて読み上げ音声信号を生成することを特徴とする請求項１に記載の通知装置。
【請求項３】
前記発信者情報に対応する呼称データが前記呼称データ管理部に登録されていない場合には、前記音声合成部が前記発信者情報に基づいて読み上げ音声信号を生成することを特徴とする請求項２に記載の通知装置。
【請求項４】
前記情報解析部によって発信者情報が解析されなかった場合には、前記音声合成部が所定の読み上げ音声信号を生成することを特徴とする請求項２または請求項３に記載の通知装置。
【請求項５】
前記情報解析部によって発信者情報が解析されなかった場合には、予め登録された通知音が前記外部音声出力装置に与えられることを特徴とする請求項２または請求項３に記載の通知装置
【請求項６】
所定の情報を視覚的に表示するための通知情報表示部と、受信した情報を解析する情報解析部と、表示用の表示データが所定の情報に対応したデータベースとして管理される表示データ管理部と、を備え、
前記情報解析部によって受信した情報が発信者情報であると解析されるとともに、該発信者情報に対応する表示データが前記表示データ管理部に登録されている場合には、前記通知情報表示部によって前記表示データが表示されることを特徴とする請求項１〜請求項５のいずれかに記載の通知装置。
【請求項７】
前記発信者情報に対応する表示データが前記表示データ管理部に登録されていない場合には、前記通知情報表示部によって前記発信者情報が表示されることを特徴とする請求項６に記載の通知装置。
【請求項８】
前記呼称データ管理部が、前記表示データ管理部を含む構成であることを特徴とする請求項２〜請求項７のいずれかに記載の通知装置。
【請求項９】
受信した情報を解析する情報解析部を備え、
前記情報解析部によって受信した情報が電子メールであると解析された場合には、前記音声合成部が該電子メールの内容に基づいて読み上げ音声信号を生成することを特徴とする請求項１〜請求項８のいずれかに記載の通知装置。
【請求項１０】
所定の情報を視覚的に表示するための通知情報表示部を備え、
前記情報解析部によって受信した情報が電子メールであると解析された場合には、該電子メールの内容が前記通知情報表示部に表示されることを特徴とする請求項９に記載の通知装置。
【請求項１１】
受信した情報を解析する情報解析部と、受信した情報を格納する受信情報記憶部とを備え、
前記情報解析部によって受信した情報が電子メールであると解析された場合には、前記受信情報記憶部に該電子メールが格納されるとともに、利用者によって読み出し指示が与えられると前記音声合成部が該電子メールの内容に基づいて読み上げ音声信号を生成することを特徴とする請求項１〜請求項８のいずれかに記載の通知装置。
【請求項１２】
所定の情報を視覚的に表示するための通知情報表示部を備え、
前記情報解析部によって受信した情報が電子メールであると解析された場合には、前記受信情報記憶部に該電子メールが格納されるとともに、利用者によって読み出し指示が与えられると該電子メールの内容が前記通知情報表示部に表示されることを特徴とする請求項１１に記載の通知装置。
【請求項１３】
前記通知情報表示部が、前記接続判定部によって前記外部音声出力装置が接続されていないと判定された場合にのみ所定の表示を行うことを特徴とする請求項６、請求項７、請求項１０、請求項１２のいずれかに記載の通知装置。
【請求項１４】
予め登録された通知音を周囲の人間に聴取可能な状態で出力する通知音出力部を備え、
前記接続判定部によって、前記外部音声出力装置が接続されていないと判定された場合には、前記通知音出力部から前記通知音が出力されることを特徴とする請求項１〜請求項１３のいずれかに記載の通知装置。
【請求項１５】
予め登録された通知音を周囲の人間に聴取可能な状態で出力する通知音出力部を備え、
前記接続判定部による判定結果が、前記外部音声出力装置が接続されているか否かに関わらず、前記通知音出力部から前記通知音が出力されることを特徴とする請求項１〜請求項１３のいずれかに記載の通知装置。
【請求項１６】
前記音声合成部が、テキストデータまたは記号データに基づいて前記読み上げ音声信号を生成することを特徴とする請求項１〜請求項１５のいずれかに記載の通知装置。
【請求項１７】
前記音声合成部が、規則音声合成によって前記読み上げ音声信号を生成することを特徴とする請求項１６に記載の通知装置。
【請求項１８】
前記音声合成部が、編集音声合成によって前記読み上げ音声信号を生成することを特徴とする請求項１６に記載の通知装置。
【請求項１９】
前記接続部を介して前記外部音声出力装置と有線接続される構成であることを特徴とする請求項１〜請求項１８のいずれかに記載の通知装置。
【請求項２０】
前記接続部が、前記外部音声出力装置との間で電気信号を伝達可能なインターフェースであることを特徴とする請求項１９に記載の通知装置。
【請求項２１】
前記接続判定部が、前記インターフェースへの接続がある場合には接続されていると判定し、前記インターフェースへの接続がない場合には接続されていないと判定することを特徴とする請求項２０に記載の通知装置。
【請求項２２】
前記接続部を介して前記外部音声出力装置と無線接続される構成であることを特徴とする請求項１〜請求項１８のいずれかに記載の通知装置。
【請求項２３】
前記接続部が、外部音声出力装置との間で電波信号を送受信可能なインターフェースであることを特徴とする請求項２２に記載の通知装置。
【請求項２４】
前記接続判定部が、前記インターフェースにおいて電波信号の送受信状況を分析して、送信信号に対応する受信信号を得られる場合には接続されていると判定し、送信信号に対応する受信信号を得られない場合には接続されていないと判定する請求項２３に記載の通知装置。
【請求項２５】
前記接続判定部が、前記外部音声出力装置が前記接続部において接続されていると判定した場合において、さらに前記外部音声出力装置が利用者に接触しているか否かの判定を行い、このうち利用者に接触している場合にのみ前記外部音声出力装置が接続されていると判定し、利用者に接触していない場合には前記外部音声出力装置が接続されていないと判定することを特徴とする請求項１〜請求項２４のいずれかに記載の通知装置。
【請求項２６】
前記接続判定部が、前記外部音声出力装置の近傍に配置される接触センサからの入力情報に基づいて、前記外部音声出力装置が利用者と接触しているか否かの判定を行うことを特徴とする請求項２５に記載の通知装置。
【請求項２７】
前記接触センサーが、少なくとも温度センサ、照度センサ、タッチセンサ、ボタン構造のいずれか一つによって構成されることを特徴とする請求項２６に記載の通知装置。
【請求項２８】
受信した情報を通知する請求項１に記載の通知装置が備える通知方法であって、
前記外部音声出力装置が前記通知装置と接続されているか否かの判定を行う第１ステップと、
前記第１ステップで接続されていると判定された場合に、与えられる情報に基づいて読み上げ音声信号を生成する第２ステップと、
前記第２ステップで生成された読み上げ音声信号を前記外部音声出力装置に出力する第３ステップと、で構成されることを特徴とする通知方法。
【請求項２９】
前記第１ステップで接続されていないと判定された場合に、所定の通知音を通知装置より出力する第４ステップを備えることを特徴とする請求項２８に記載の通知方法。
【請求項３０】
受信した情報を解析する第５ステップを備えるとともに、該第５ステップでの解析結果に基づいて前記第２ステップで読み上げ音声信号が生成されることを特徴とする請求項２８または請求項２９に記載の通知方法。
【請求項３１】
前記第５ステップでの解析結果に基づく情報を通知装置に表示する第６ステップを備えることを特徴とする請求項２８〜請求項３０のいずれかに記載の通知方法。
【請求項３２】
受信した情報を通知するための通知プログラムであって、
請求項２８〜請求項３１に記載のいずれかの通知方法をコンピュータ上で実現するための通知プログラム。
【発明の詳細な説明】
【技術分野】
【０００１】
本発明は、通知装置、通知方法及び通知プログラムに関し、特に携帯電話などの携帯型電子通信端末における着信を通知する際に用いられる通知装置、通知方法及び通知プログラムに関するものである。
【背景技術】
【０００２】
従来の通知装置として、電話の着信を通知する機能を備える携帯電話などの電話機がある。さらに、電話の着信通知に加えて電子メールの着信を通知する機能を備える電話機についても既に提供されている。
【０００３】
上述の電話機は、近年、着信時に発信者の電話番号あるいは発信者の情報をディスプレイに表示することが可能な構成になっている。特に、この機能は携帯電話機においては一般的であり、さらに電子メールを受信した際についても同様に発信者の情報が表示可能な携帯電話機も既に存在する。
【０００４】
また、発信者情報をディスプレイに表示するのとは異なり、電話着信時に、発信者電話番号または発信者電話番号に対応する呼称を合成音声にて通知する機能を備える通信端末装置が開示されている（特許文献１、２参照）。
【０００５】
特許文献１または特許文献２に開示されている技術によれば、携帯電話機に着信があった際に、発信者情報が音声によって通知されるため、利用者はディスプレイの表示を確認することなく発信者の情報を知ることができる。
【０００６】
また、折り畳み式携帯電話機において、電子メール着信時に、発信者情報、折り畳み状況、車載アダプタ接続状況などに基づいて通知手段を切り換える機能を備えた携帯電話機が開示されている（特許文献３）。
【０００７】
特許文献３に開示されている技術によれば、携帯電話機の状態から例えば利用者が自動車を運転中であるか否かなどの判断を行うことにより、自動車を運転中のため携帯電話機を操作することができない状態であると判定された場合に、電子メールの内容を音声によって自動的に読み上げることで利用者がディスプレイの表示を確認することなく電子メールの内容を知ることができる。
【特許文献１】特開平１１−２６３３８号公報
【特許文献２】特開平１０−７９７８５号公報
【特許文献３】特開２００１−３３１４１９号公報
【発明の開示】
【発明が解決しようとする課題】
【０００８】
しかしながら、特許文献１または特許文献２に記載の通知装置を用いる場合、ディスプレイを見ることが可能な状況においても音声によって発信者情報が通知されるという問題がある。
【０００９】
すなわち、このような技術を備えた携帯電話機を携行している場合、着信時に利用者がディスプレイを確認することで発信者情報を知ることができる状況であるにも関わらず、音声によって外部に発信者情報が出力されてしまうため、結果として携帯電話機の所有者以外の人間に発信者の情報が公開されてしまうという問題がある。
【００１０】
また、特許文献３に記載の通知装置を用いる場合においても、例えば利用者が自動車を運転している際に電子メールの着信があると、自動的にこのメールの内容が読み上げられるため、同乗者にも電子メールの内容が公開されてしまうという問題がある。換言すれば、上記特許文献１、２と同様に、所有者以外の人間に対して情報が公開されてしまうという問題点を有している。
【００１１】
本発明は、上記の問題点に鑑みて、電話や電子メールを着信した際に、機器の所有者にのみ発信者情報あるいは電子メールの情報を通知するとともに、所有者以外の人間に対しては公開されないように不要な公開を制限することが可能な通知装置を提供することを目的とする。
【００１２】
また、本発明は、このような通知装置を実現するための通知方法、ならびに通知プログラムを提供することを別の目的とする。
【課題を解決するための手段】
【００１３】
上記目的を達成すべく、本発明の通知装置は、受信した情報を通知する通知装置であって、接続されていれば利用者にのみ出力音が聴取可能な外部音声出力装置が接続される接続部と、前記外部音声出力装置が前記接続部において接続されているか否かを判定する接続判定部と、与えられる情報に基づいて読み上げ音声信号を生成する音声合成部と、を備え、前記接続判定部によって、前記外部音声出力装置が接続されていると判定された場合には、前記音声合成部が受信した情報に基づいて読み上げ音声信号を生成し、該読み上げ音声信号が前記外部音声出力装置に与えられて前記外部音声出力装置から出力されることを特徴とする。
【００１４】
このとき、外部音声出力装置が通知装置に接続されている場合には、読み上げ音声信号が生成されて外部音声出力装置から出力される。従って利用者は、この外部音声出力装置より出力される音声信号によって、受信した情報を聴覚的に認識することが可能となる。
【００１５】
また、例えば、本発明の通知装置を、受信した情報を解析する情報解析部と、音声読み上げ用の呼称データが所定の情報に対応したデータベースとして管理される呼称データ管理部と、を備え、前記情報解析部によって受信した情報が発信者情報であると解析されるとともに、該発信者情報に対応する呼称データが前記呼称データ管理部に登録されている場合には、前記音声合成部が前記呼称データに基づいて読み上げ音声信号を生成する構成としてもよい。
【００１６】
このとき、例えば発信者情報が電話番号または電子メールアドレスであって、通知装置には予め電話番号または電子メールアドレスに該当する登録名（氏名、事業所名など）が呼称データとして登録されている場合、この登録されている電話番号または電子メールアドレスと同一の発信者情報が通知装置に与えられた場合には、外部音声出力装置が接続されていれば該当する呼称データが音声出力される。すなわち利用者は、外部音声出力装置より出力される音声信号によって発信者の情報（氏名、事業所）を聴覚的に認識することが可能となる。
【００１７】
さらに、前記発信者情報に対応する呼称データが前記呼称データ管理部に登録されていない場合には、前記音声合成部が前記発信者情報に基づいて読み上げ音声信号を生成する構成としてもよい。
【００１８】
このとき、例えば、発信者情報に記載されている電話番号が呼称データに登録されていない場合には、この電話番号そのものが音声信号として外部音声出力装置より出力される（例えば、電話番号であれば「ゼロロク  ロク△△△△△△  イチ△△△△△△（06-6XXX-1XXX）」、メールアドレスであれば「エスエイチハイフン△△△△アールオー  アット  エー△△△  ドット  △△△△（sh-**ro@a**.**）」など）。この場合にも、利用者は発信者の情報を聴覚的に認識することが可能となる。
【００１９】
ここで、音声合成を実行するために、発信元情報（例えば「06-6XXX-1XXX」）の形態を、テキストデータ（例えば「ゼロロク  ロク△△△△△△  イチ△△△△△△」）に変換する必要がある場合、形態素解析などの技術を利用するものとしても構わない。また、このような変換処理が音声合成処理の前段で行われるものとしても構わない。
【００２０】
また、例えば、前記情報解析部によって発信者情報が解析されなかった場合には、前記音声合成部が所定の読み上げ音声信号を生成する構成としてもよい。このとき、「デンワデス」などの定型音声データなどで構成されるものとして構わない。
【００２１】
また、例えば、前記情報解析部によって発信者情報が解析されなかった場合には、予め登録された通知音が前記外部音声出力装置に与えられる構成としてもよい。このとき、所定の通知音（ビープ音など）が外部音声出力装置から出力される。利用者は、外部音声出力装置からこの通知音を聞くことで、受信したことを聴覚的に認識することが可能となる。
【００２２】
また、例えば、所定の情報を視覚的に表示するための通知情報表示部と、受信した情報を解析する情報解析部と、表示用の表示データが所定の情報に対応したデータベースとして管理される表示データ管理部と、を備え、前記情報解析部によって受信した情報が発信者情報であると解析されるとともに、該発信者情報に対応する表示データが前記表示データ管理部に登録されている場合には、前記通知情報表示部によって前記表示データが表示される構成としてもよい。
【００２３】
このとき、発信者情報に該当する表示データが存在する場合には、この表示データが通知情報表示部に表示される。利用者はこの通知情報表示部に記載された表示内容を確認することで発信者の情報を視覚的に認識することが可能となる。
【００２４】
また、前記発信者情報に対応する表示データが前記表示データ管理部に登録されていない場合には、前記通知情報表示部によって前記発信者情報が表示される構成としても構わない。
【００２５】
この場合、通知情報表示部には発信元情報である電話番号あるいは電子メールアドレスが表示され、利用者はこの通知情報表示部を確認することで、発信者情報を視覚的に確認することが可能となる。
【００２６】
また、前記呼称データ管理部が、前記表示データ管理部を含む構成であるものとしてもよい。すなわち、各データは発信者情報（電話番号、電子メールアドレス）を検索キーとして、表示データと呼称データの双方の要素を含む構成であるものとしても構わない。
【００２７】
また、例えば、受信した情報を解析する情報解析部を備え、前記情報解析部によって受信した情報が電子メールであると解析された場合には、前記音声合成部が該電子メールの内容に基づいて読み上げ音声信号を生成する構成としても構わない。
【００２８】
このとき、外部音声出力装置が通知装置に接続されている場合には、読み上げ音声信号が生成されて外部音声出力装置から出力される。従って利用者は、この外部音声出力装置より出力される音声信号によって、電子メールの内容を聴覚的に認識することが可能となる。
【００２９】
また、例えば、所定の情報を視覚的に表示するための通知情報表示部を備え、前記情報解析部によって受信した情報が電子メールであると解析された場合には、該電子メールの内容が前記通知情報表示部に表示される構成としても構わない。
【００３０】
この場合、通知情報表示部には電子メールの内容が表示され、利用者はこの通知情報表示部を確認することで、当該電子メールの内容を視覚的に確認することが可能となる。
【００３１】
また、例えば、受信した情報を解析する情報解析部と、受信した情報を格納する受信情報記憶部とを備え、前記情報解析部によって受信した情報が電子メールであると解析された場合には、前記受信情報記憶部に該電子メールが格納されるとともに、利用者によって読み出し指示が与えられると前記音声合成部が該電子メールの内容に基づいて読み上げ音声信号を生成する構成としても構わない。
【００３２】
このとき、電子メールを受信して所定時間経過後、利用者が任意の時刻に電子メール読み出しの指示を与えることで、外部音声出力装置が通知装置に接続されている場合には、読み上げ音声信号が生成されて外部音声出力装置から当該電子メールの内容が出力される。従って利用者は、この外部音声出力装置より出力される音声信号によって、電子メールの内容を聴覚的に認識することが可能となる。
【００３３】
また、例えば、所定の情報を視覚的に表示するための通知情報表示部を備え、前記情報解析部によって受信した情報が電子メールであると解析された場合には、前記受信情報記憶部に該電子メールが格納されるとともに、利用者によって読み出し指示が与えられると該電子メールの内容が前記通知情報表示部に表示される構成としてもよい。
【００３４】
この場合においても、電子メールを受信して所定時間経過後、利用者が任意の時刻に電子メール読み出しの指示を与えることで、通知情報表示部に電子メールの内容が表示され、利用者はこの通知情報表示部を確認することで、当該電子メールの内容を視覚的に確認することが可能となる。
【００３５】
また、例えば、前記通知情報表示部が、前記接続判定部によって前記外部音声出力装置が接続されていないと判定された場合にのみ所定の表示を行う構成としてもよい。
【００３６】
すなわち、このように構成されるとき、外部音声出力装置が接続されている場合には、外部音声接続装置を介して音声信号によって利用者が聴覚的に確認することが可能であるため、通知情報表示部に視覚的に表示しなくても利用者は当該情報を認識することができるので、通知情報表示部に表示する場合と比較して電力消費の低減および情報漏洩のリスクが減少するという効果が得られる。
【００３７】
また、例えば、予め登録された通知音を周囲の人間に聴取可能な状態で出力する通知音出力部を備え、前記接続判定部によって、前記外部音声出力装置が接続されていないと判定された場合には、前記通知音出力部から前記通知音が出力される構成としても構わない。
【００３８】
この場合、外部音声出力装置を接続されていない場合であっても、通知装置から所定の通知音が出力されるので、利用者は受信が行われたことを聴覚的に認識することができる。また、このとき出力される通知音は周囲の人間に対して聴取可能であるが、発信者情報などに基づく合成音声ではなく所定の通知音が出力されるのみであるため、仮に周囲の人間に聴取された場合であっても、受信した情報の内容について把握されることがない。
【００３９】
また、例えば、予め登録された通知音を周囲の人間に聴取可能な状態で出力する通知音出力部を備え、前記接続判定部による判定結果が、前記外部音声出力装置が接続されているか否かに関わらず、前記通知音出力部から前記通知音が出力される構成としても構わない。
【００４０】
また、例えば、前記音声合成部が、テキストデータまたは記号データに基づいて前記読み上げ音声信号を生成する構成としても構わない。
【００４１】
このとき、規則音声合成あるいは編集音声合成によって前記読み上げ音声信号を生成するものとしても構わない。
【００４２】
また、例えば、前記接続部を介して前記外部音声出力装置と有線接続される構成としても構わない。このとき、前記接続部が、前記外部音声出力装置との間で電気信号を伝達可能なインターフェースであるものとしても構わない。
【００４３】
このとき、前記接続判定部が、前記インターフェースへの接続がある場合には接続されていると判定し、前記インターフェースへの接続がない場合には接続されていないと判定する構成としてもよい。
【００４４】
また、例えば、前記接続部を介して前記外部音声出力装置と無線接続される構成としても構わない。このとき、前記接続部が、外部音声出力装置との間で電波信号を送受信可能なインターフェースであるものとしても構わない。
【００４５】
このとき、前記接続判定部が、前記インターフェースにおいて電波信号の送受信状況を分析して、送信信号に対応する受信信号を得られる場合には接続されていると判定し、送信信号に対応する受信信号を得られない場合には接続されていないと判定する構成としてもよい。
【００４６】
また、例えば、前記接続判定部が、前記外部音声出力装置が前記接続部において接続されていると判定した場合において、さらに前記外部音声出力装置が利用者に接触しているか否かの判定を行い、このうち利用者に接触している場合にのみ前記外部音声出力装置が接続されていると判定し、利用者に接触していない場合には前記外部音声出力装置が接続されていないと判定する構成としてもよい。
【００４７】
このとき、外部音声出力装置が通知装置に接続されている場合であっても、利用者が外部音声出力装置を装着していないため外部音声出力装置から出力される音声信号を聴取できない状態である場合には、接続判定部によって外部音声出力装置が通知装置に接続されていないと判断されることで、外部音声出力装置から出力される音声信号を聴取しなくとも受信したことを通知する手段を備えることができる。
【００４８】
また、例えば、前記接続判定部が、前記外部音声出力装置の近傍に配置される接触センサからの入力情報に基づいて、前記外部音声出力装置が利用者と接触しているか否かの判定を行うものとしても構わない。このとき、前記接触センサが、少なくとも温度センサ、照度センサ、タッチセンサ、ボタン構造のいずれか一つによって構成されるものとしても構わない。
【００４９】
また、本発明の通知方法は、受信した情報を通知する通知装置が備える通知方法であって、前記外部音声出力装置が前記通知装置と接続されているか否かの判定を行う第１ステップと、前記第１ステップで接続されていると判定された場合に、与えられる情報に基づいて読み上げ音声信号を生成する第２ステップと、前記第２ステップで生成された読み上げ音声信号を前記外部音声出力装置に出力する第３ステップと、で構成される。
【００５０】
このとき、前記第１ステップで接続されていないと判定された場合に、所定の通知音を通知装置より出力する第４ステップを備える構成としても構わない。
【００５１】
また、例えば、受信した情報を解析する第５ステップを備えるとともに、該第５ステップでの解析結果に基づいて前記第２ステップで読み上げ音声信号が生成される構成としても構わない。
【００５２】
また、例えば、前記第５ステップでの解析結果に基づく情報を通知装置に表示する第６ステップを備える構成としても構わない。
【００５３】
また、本発明の通知プログラムは、受信した情報を通知するための通知プログラムであって、上述した通知方法の各ステップをコンピュータ上で実現することを特徴とするものである。
【発明の効果】
【００５４】
本発明の構成によれば、接続判定部によって利用者のみ出力音が聴取可能な外部音声出力装置が接続されていると判定された場合に、発信者情報などの受信した情報に基づく音声信号が音声合成部によって合成されて出力される。すなわち、この音声信号は外部音声出力装置より出力されるため、利用者にのみ聴取可能となり、当該情報が周囲の人間に公開されることがない。
【００５５】
一方、接続判定部によって外部音声出力装置が接続されていないと判定された場合には、発信者情報など固有の情報を特定しない所定の通知音が通知装置から出力される構成であるため、最低限の通知事項のみを利用者を含む周囲の人間に公開し、発信者情報などの受信した情報に基づく音声信号が外部に公開されることはなく、この場合においても、発信者情報などの情報が周囲の人間に公開されることはない。
【００５６】
すなわち、本発明の構成とすることで、利用者にのみ聴取可能な状態である場合には発信者情報などの固有の情報が出力される一方、周囲の人間には所定の通知音が公開されるのみで当該固有の情報が公開されることはないため、周囲の人間に対する不要な公開を制限することが可能となる。
【発明を実施するための最良の形態】
【００５７】
＜第１の実施形態＞
本発明の第１の実施形態について、図面を参照して説明する。図１は、本発明の通知装置の概略構成を示すブロック図である。
【００５８】
図１に示される通知装置１は、通信網より通信データを受信する受信部１１と、受信部１１によって受信された受信情報の解析を行う情報解析部１２と、情報解析部１２における解析結果を記憶する受信情報記憶部１４と、を備える。
【００５９】
また通知装置１は、通知装置１自身とヘッドホンなどの通知音声出力装置２とを接続する接続部２２と、接続部２２を介して通知音声出力装置２と接続されているか否かの判定を行う接続判定部１５と、接続判定部１５の判定結果を記憶する接続状態記憶部１６と、接続判定結果に基づいて通知方法を決定する通知方法決定部１７と、通知音を出力する通知音出力部１８と、通知情報を表示するディスプレイなどの通知情報表示部１９と、音声を合成する音声合成部２１と、を備える。さらに、通知装置１の全体的な制御を行う制御部２３を備える。
【００６０】
以下に、通知装置１が備える各構成要素に関する説明を行う。なお、各構成要素の動作の流れについての説明は、フローチャートを用いて後述する。
【００６１】
受信部１１は、通信網（例えば携帯電話サービスキャリアが管理する無線ネットワーク、固定電話サービスキャリアが管理する有線ネットワークなど）を介して得られる通信データ（着信を示すデータを含む）を受信し、受信したデータを後段の情報解析部１２に出力する。受信部１１は、例えば電波を受信するアンテナまたは電話線を接続する差込口（例えばモジュラージャック）、受信した情報を後段の処理に適切な形態（例えばデジタル信号）に変換する専用のＬＳＩ素子などにより構成される。
【００６２】
情報解析部１２は、受信部１１で着信した受信情報が与えられると、当該受信情報を解析して受信情報中に発信元に関する情報（以下、「発信元情報」と称する）が含まれていれば取得する。発信元情報としては、発信者の電話番号や電子メールアドレスなどが相当する。
【００６３】
情報解析部１２で取得された発信元情報は、後段の受信情報記憶部１４に格納される。また、これとは別に受信情報に発信元情報が含まれているか否かを示す情報（以下「発信元有無情報」と称する）を保存する。すなわち、受信情報に発信元情報が含まれていない場合は、発信元情報が含まれていない旨の発信元有無情報を受信情報記憶部１４に格納し、発信元情報が含まれている場合は、発信元情報が含まれている旨の発信元有無情報および発信元情報を受信情報記憶部１４に格納する。
【００６４】
さらに、受信情報に発信元情報が含まれる場合、情報解析部１２は呼称データ管理部１３で管理される呼称データ管理表を参照して発信元情報に対応する呼称データおよび表示データ（あるいは呼称データ、表示データのいずれか一方）が存在するかどうかを検索し、該当するデータが存在する場合には、当該データを受信情報記憶部１４に格納する（呼称データ、表示データの説明は後述する）。情報解析部１２は、専用のＬＳＩ素子などにより構成され、また受信情報記憶部１４は、ＲＡＭ（Ｒａｎｄｏｍ  Ａｃｃｅｓｓ  Ｍｅｍｏｒｙ）により構成される。
【００６５】
呼称データ管理部１３は、呼称データ管理表が格納されており、利用者によって更新が可能な構成であり、携帯電話などの電話帳機能に相当する。呼称データ管理表は、例えば、呼称データ、表示データ、電話番号、メールアドレスの４要素から構成される。呼称データ管理表の一例を図２に示す。
【００６６】
図２において、呼称データ管理表３０は、表示データ３１、呼称データ３２、電話番号３３、メールアドレス３４の４要素で構成される。利用者が、あらかじめ登録したい対象の電話番号あるいはメールアドレスに該当する表示名および呼称を入力することで、呼称データ管理表１３が更新される。
【００６７】
表示データ３１は、電話番号３３あるいはメールアドレス３４に対応した表示名が登録され、後述する通知方法決定部１７によって通知方法表示部１９による通知が行われることが決定した際、当該表示データ３１の記載内容が通知方法表示部１９に表示される。また、呼称データ３２は、後述する音声合成部２１で合成音声を生成するために利用されるものであり、例えば表示データ３１の読み方がカタカナで表記されたものが登録される。
【００６８】
なお、図２に示される呼称データ管理表３０は一例であり、呼称データ管理表を構成する要素としてはこれ以外のものを含んでも構わないし、電話番号３３あるいはメールアドレス３４のいずれか一方を含む構成であっても構わない。この呼称データ管理表３０は、例えばフラッシュメモリなどの書き換え可能な不揮発性メモリによって構成される。
【００６９】
接続部２２は、通知装置本体１（例えば携帯電話）と、通知音声出力装置２（例えばヘッドホン）とを接続するインターフェースであり、有線接続である場合にはヘッドホンジャックなどの差込口で構成され、無線接続である場合には無線信号（例えばＢｌｕｅｔｏｏｔｈ（登録商標）、ＩＥＥＥ８０２．１１ａ、ＩＥＥＥ８０２．１１ｂなどの電波信号）を生成する専用のＬＳＩと電波を送受信するアンテナとで構成される。
【００７０】
なお、通知装置本体１と通知音声出力装置２とを接続する手段は上述の接続方法に限られず、通知装置本体１から通知音声出力装置２に音声信号が伝達可能であり、かつ、接続と非接続の２状態間で変更が可能な構成であれば、どのような接続方法を用いても構わない。
【００７１】
ここで、接続と非接続の２状態間で変更が可能とは、例えば接続部２２がヘッドホンジャックの差込口で構成されるとき、差込口にヘッドホンジャックを差し込んだときに通電するような通電判定部（不図示）を設けることで、差込口にヘッドホンジャックを差し込んだ状態を接続状態とし、ヘッドホンジャックを抜き取った状態を非接続状態として扱うことができるため、ヘッドホンジャックを差込口に差し込むか差込口から抜き出すかによって上記２状態間で変更が可能であるということを表している。
【００７２】
また、例えばＢｌｕｅｔｏｏｔｈなどの電波による無線接続の場合、ヘッドホンなどの通知音声出力装置２に電源スイッチを設けるとともに、電源スイッチがオンであるときに通知装置本体１と通知音声出力装置２との間で無線接続の確立を確認するための無線接続確認部（不図示）を備えることで、無線接続の確立が確認できれば接続状態とし、無線接続の確立が確認されなければ非接続状態とすることで、電波の届く範囲内であれば、ヘッドホンの電源スイッチのオンオフ操作によって接続と非接続の２状態間で変更が可能となる。
【００７３】
接続判定部１５は、制御部２３より指示を受けて接続部２２において通知装置本体１と通知音声出力装置２とが接続されているか否かを判定する。また、通知音声出力装置２が人体に接触しているか否かについても併せて判定する。
【００７４】
このうち、通知音声出力装置２が人体に接触しているか否かの判定は、例えば通知音声出力装置２がヘッドホンの場合、ヘッドホンのスピーカ近傍にセンサ（不図示）を設置するとともに、接続部２２を介して得られるセンサ情報を分析してこの分析結果に基づいて通知音声出力装置２が人体に接触しているか否かを判定するものとしてもよい。
【００７５】
このとき、人体接触を判定するために用いられるセンサとして例えば温度センサを採用するとともに、所定の温度（例えば３５℃）以上であれば接触状態とし、所定の温度以下であれば非接触状態とするものとしても構わないし、人体接触を判定するために用いられるセンサとして例えば照度センサを採用するとともに、所定の照度（例えば１ルクス）以下であれば接触状態とし、所定の照度以上であれば非接触状態とするものとしても構わない。
【００７６】
他の方法としては、ヘッドホンにタッチセンサを備えるとともに、タッチされた状態と判定されれば接続状態とし、タッチされていない状態と判定されれば非接続状態とするものとしても構わない。また、ヘッドホンに非装着時には突起するとともに装着時には装着者の頭の一部あるいは耳などに接触することで突起状態でなくなる突起型ボタンを備え、このボタンが非突起状態であれば接続状態とし、突起状態であれば非接続状態とするものとしても構わない。
【００７７】
なお、通知音声出力装置２が人体に接触しているか否かの判定方法は、上記方法に限られるものではなく、通知音声出力装置２が人体に接触しているか否かを判定することが可能な方法であればどのような方法を採用しても構わない。
【００７８】
接続判定部１５で上記方法によって接続状態が判定されると、この判定結果が接続状態記憶部１６に格納される。接続判定部１５は、判定処理を行うための専用のＬＳＩなどにより構成され、接続状態記憶部１６は、ＲＡＭにより構成される。
【００７９】
通知方法決定部１７は、受信部１１に対して通信データが与えられると、制御部２３より通知方法を決定する旨の指示が送られ、接続状態記憶部１６に格納される接続状態に応じて通知音による通知を行うか、通知情報を表示することによる通知を行うか、発信者情報を音声出力することによる通知を行うか、について決定する。具体的には、後述するように、通知音出力部１８に対して通知音を出力する指示を与えるか、通知情報表示部１９に対して通知情報を表示する指示を与えるか、音声合成部２１に対して発信者情報にかかる合成音声を生成する指示を与えるか、の選択を行う。通知方法決定部１７は、専用のＬＳＩなどにより構成される。
【００８０】
通知音出力部１８は、通知方法決定部１７より通知音を出力する指示が与えられると、予め準備された通知音を出力し、これによって通知装置１の利用者は通知装置１に対して着信があったことを認識することができる。ここで、予め準備された通知音は、例えば「ピピピピ」などの電子音、メロディ、歌、あるいは「デンワデス」などの定型音声データ、などで構成される。
【００８１】
また、これらの通知音のうちのいずれの通知音を採用するかについては、すべての着信に対して一つの通知音を固定的に採用するものとしても構わないし、着信毎に異なる通知音を採用するものとしても構わない。また受信情報記憶部１４で格納される発信者情報に基づいて着信音を変更するようにしてもよい。この場合は、通知音出力部１８が受信情報記憶部１４に格納される発信者情報を参照する構成とすることによって実現できる。
【００８２】
通知音出力部１８は、予め用意された通知音を適切な形態（例えばアナログ信号）に変換する専用のＬＳＩ素子などと、通知音信号をユーザが聴取可能な形態（例えば空気振動）に変換するスピーカなどによって構成される。
【００８３】
通知情報表示部１９は、通知方法決定部１７より通知情報を表示する指示が与えられると、受信情報記憶部１４で格納されている発信元有無情報を参照し、発信元情報が存在しない場合には着信を通知する旨の表示（例えば「電話です」）を行う。また、発信元情報が存在する場合には、受信情報記憶部１４で保存される表示データの有無を参照し、表示データがない場合には発信元情報を表示する。一方、表示データが存在する場合には、当該表示データを表示する。
【００８４】
例えば、発信元情報を非通知にして通知装置１に対して通信があると、情報解析部１２では発信元情報が確認できないため、発信元情報が存在しない旨の発信元有無情報が受信情報記憶部１４に格納される。そして、通知情報表示部１９は、この受信情報記憶部１４に格納された発信元有無情報より、当該発信者の発信元情報が存在しないことを確認すると、「電話です」なる表示を行う。
【００８５】
また、発信元情報が通知される状態で通知装置１に対して通信があると、情報解析部１２で当該発信元情報が確認される。このとき、当該発信元情報に対応する表示データが呼称データ管理部１３に登録されている場合には、発信元情報が存在する旨の発信元有無情報と、該当する表示データ（例えば「シャープ○郎」）とが受信情報記憶部１４に格納されるとともに、通知情報表示部１９がこの受信情報記憶部１４に格納された表示データを読み出すことで「シャープ○郎」なる表示を行う。
【００８６】
一方、発信元情報に対応する表示データが呼称データ管理部１３に登録されていない場合には、発信元情報が存在する旨の発信元有無情報が受信情報記憶部１４に格納され、通知情報表示部１９がこの受信情報記憶部１４を参照して発信元情報は存在する一方、表示データが存在しないことを確認することで、当該発信元情報（例えば「06-6XXXX-1XXX」などの電話番号、または「sh-**ro@a**.**」などのメールアドレス）を表示する。
【００８７】
なお、上記では、通知情報表示部１９が「電話です」なる着信の通知、電話番号またはメールアドレスで構成される発信元情報、または表示データのいずれか一つを表示するものとしたが、表示可能な複数の情報を組み合わせて表示しても構わないし、さらに他の情報を併せて表示しても構わない。このとき、複数の情報を表示する場合には、同時に複数の情報を表示してもよいし、所定の時間（例えば１秒）毎に表示内容が切り替わる構成としてもよい。
【００８８】
この通知情報表示部１９は、通知情報の表示を制御する専用のＬＳＩ素子と、通知情報を表示するディスプレイとによって構成される。
【００８９】
音声合成部２１は、通知方法決定部１７より発信者情報にかかる合成音声を生成する指示が与えられると、受信情報記憶部１４で保存される発信元有無情報を確認し、発信元情報がない場合には着信を通知する音声信号（例えば「デンワデス」）を生成する。
【００９０】
この着信を通知する音声信号は、通知音出力部１８で利用される音声信号と同様に予め通知装置１内で準備された定型音声データをメモリ（不図示）などに格納しておくものとしても構わないし、着信を通知する音声信号を生成するためのテキストデータあるいは記号データなどをメモリなどに格納しておくとともに、着信毎に規則音声合成または編集音声合成などによって音声信号を生成するものとしても構わない。
【００９１】
なお上記において、規則音声合成とは、予め音声素片（短い時間単位の音声）をメモリなどに記録しておき、入力されたテキストデータまたは記号データを分析して、分析結果と所定の規則に基づいて音声素片を加工並びに接続することで任意の文章を読み上げる技術である。また、編集音声合成とは、読み上げに必要な音声の単位音声データ（例えば単語単位または文節単位など）を予めメモリなどに記録しておき、入力されたテキストデータまたは記号データを分析して分析結果に基づいて単位音声データを接続（必要に応じて加工）し、単位音声データを組み合わせて読み上げる技術である、
【００９２】
一方、発信元情報がある場合には、音声合成部２１がさらに受信情報記憶部１４で保存される呼称データの有無を確認する。そして、呼称データが存在しない場合には、発信元情報の読み上げ音声合成信号（例えば、電話番号であれば「ゼロロク  ロク△△△△△△  イチ△△△△△△（06-6XXX-1XXX）」、メールアドレスであれば「エスエイチハイフン△△△△アールオー  アット  エー△△△  ドット  △△△△（sh-**ro@a**.**）」など）を、規則音声合成または編集音声合成により生成する。
【００９３】
ここで、音声合成を実行するために、発信元情報（例えば「06-6XXX-1XXX」）の形態を、テキストデータ（例えば「ゼロロク  ロク△△△△△△  イチ△△△△△△」）に変換する必要がある場合、形態素解析などの技術を利用するものとしても構わない。また、このような変換処理が音声合成処理の前段で行われるものとしても構わない。
【００９４】
また、受信情報記憶部１４に呼称データが格納されている場合は、呼称データの読み上げ音声合成信号（例えば「シャープ△△ロウ」）を規則音声合成または編集音声合成により生成する。
【００９５】
そして音声合成部２１は、このように着信を通知するために予め記録された音信号あるいは生成された読み上げ音声信号を後段の接続部２２に出力する。
【００９６】
なお、上述の説明において、音声合成部２１は、着信の通知、または発信元情報、または呼称データのいずれか一つの読み上げ音声合成信号を生成する場合について示したが、これら複数の情報に基づいて読み上げ音声合成信号を生成するものとしても構わないし、他の情報との組み合わせによって読み上げ音声合成信号を生成するものとしても構わない（例えば「シャープ△△ロウサンカラデンワデス」、あるいは「デンワデス  シャープ△△ロウサンデス  ゼロロク  ロク△△△△△△  イチ△△△△△△デス」）。
【００９７】
また、音声合成部２１は、規則音声合成または編集音声合成により音声合成信号を生成すると上述したが、テキストデータまたは記号データなどの入力に基づいて音声信号を生成可能な技術であれば規則音声合成、編集音声合成の技術に限られず、他の技術を用いるものとしても構わない。
【００９８】
音声合成部２１は、着信通知用の音データまたは音声素片または単位音声データなどを予め記録するためのＲＯＭ（Ｒｅａｄ  Ｏｎｌｙ  Ｍｅｍｏｒｙ）などと、テキストデータまたは記号データなどの入力に基づいて音声信号を生成する専用のＬＳＩ素子などと、通知音または音声合成信号を出力に適切な形態（例えばアナログ信号）に変換する専用のＬＳＩ素子などにより構成される。
【００９９】
また、制御部２３は、通知装置１が備える各構成要素それぞれに対する全体的な制御を行い、専用のＬＳＩなどにより構成される。
【０１００】
一方、通知音声出力装置２は、接続部２２を介して通知装置１より入力される音信号または音声合成信号を利用者が聴取できるように変換して出力する通知音声出力部２９を備える。通知音声出力部２９は、音信号または音声合成信号を利用者が聴取可能な形態（例えば空気振動）に変換するスピーカなどにより構成される。
【０１０１】
なお、上述の受信部１１、情報解析部１２、接続判定部１５、通知方法決定部１７、通知音出力部１８、通知情報表示部１９、音声合成部２１、接続部２２、制御部２３は、専用のＬＳＩ素子ではなく、パーソナルコンピュータなどの一般的なコンピュータやマイクロプロセッサで実現してもよい。この場合、例えば後述する通知処理をコンピュータに実行させるためのプログラムとして記述してもよい。
【０１０２】
この場合、上記プログラムは、ＣＤ−ＲＯＭ（Compact Disc - Read Only Memory）などの記録媒体に記録されて流通し、ＣＤ−ＲＯＭドライブなどによりコンピュータが備えるＲＡＭなどに読み込まれ、ＣＰＵ（Central Processing Unit：中央演算装置）で実行される。なお、プログラムが記録される記録媒体は、ＣＤ−ＲＯＭの他に、例えばフレキシブルディスク、カセットテープ、ハードディスク、光ディスク（ＭＯ：Magnetic Optical disc）、ＭＤ（Mini Disc、登録商標）、ＤＶＤ（Digital Versatile Disc）、ＩＣカード（メモリーカードを含む）、光カード、マスクＲＯＭ、ＥＰＲＯＭ、ＥＥＰＲＯＭ、フラッシュＲＯＭなどの半導体メモリなどの固定的にプログラムを記録する媒体でもよい。さらに、インターネットなどのネットワークを介して他の装置からダウンロードされてもよい。また、専用のＬＳＩとコンピュータやマイクロプロセッサとを組み合わせてもよく、一部または全てを一つの専用のＬＳＩとして構成してもよい。
【０１０３】
次に、上述の各構成要素を備える通知装置１で実行される通知処理の流れについてフローチャートを参照して説明する。図３は、通知装置１で実行される通知処理の流れを示すフローチャートである。
【０１０４】
図３に示すように、通知装置１で行われる処理は、着信判断処理ステップＳ１と、発信元情報取得処理ステップＳ２と、接続状態判定処理ステップＳ３と、通知方法決定処理ステップＳ４と、音声信号生成処理ステップＳ５と、通知音声出力処理ステップＳ６と、通知情報表示ステップＳ７と、通知音出力ステップＳ８と、で構成される。
【０１０５】
まず通知装置１は、受信部１１によって通信網からの着信の有無を判定する（ステップＳ１）。着信がある場合はステップＳ２に進み、着信がない場合は処理を終了する。なお、通知装置１が図３に示すフローチャートを実行状態でない場合、所定時間（例えば１秒）後に再びステップＳ１の処理を行うものとしても構わない。また、処理の再実行の可否については、利用者が通知装置１に備えられる操作子を操作することで指示可能な構成であるとしてもよい（例えば電源オフ操作によって再実行不可）。
【０１０６】
着信があった場合、受信部１１より受信された通信データが情報解析部１２に与えられ、情報解析部１２において受信情報を解析して発信元に関する情報を取得し、受信情報記憶部１４に当該情報を格納する（ステップＳ２）。なお、ステップＳ２における発信元に関する情報の取得方法については後述する。
【０１０７】
ステップＳ２の終了後、接続判定部１５によって、通知装置本体１と通知音声出力装置２とが接続部２２を介して接続されているか否かを判定するとともに、この判定結果を接続状態記憶部１６に格納する（ステップＳ３）。また、通知音声出力装置２が人体に接触しているか否かについても併せて判定して、その結果を格納する。ステップＳ３で行われるこれらの判定方法については後述する。
【０１０８】
ステップＳ３の終了後、通知方法決定部１７が接続状態記憶部１６に格納された判定結果を読み出して、判定結果に応じて通知方法を選択する（ステップＳ４）。このとき、通知装置本体１と通知音声出力装置２とが接続されていれば（ステップＳ４においてＹｅｓ）、音声信号生成処理ステップＳ５に進み、接続されていなければ（ステップＳ４においてＮｏ）、通知情報表示ステップＳ７に進む。
【０１０９】
通知方法決定部１７によって、通知装置本体１と通知音声出力装置２との接続が確認されると、音声合成部４２が受信情報記憶部１４に格納された情報に基づいて着信を通知するための音声信号を生成する（ステップＳ５）。この音声信号生成処理の詳細については後述する。
【０１１０】
ステップＳ５の終了後、音声合成部２１において生成された音声信号が接続部２２を介して通知音声出力装置２に与えられ、通知音声出力部２９において利用者が聴取できる形式に変換された後外部に出力される（ステップＳ６）。通知音声出力装置２より音声信号が出力されると、一連の処理を終了する。
【０１１１】
一方、通知方法決定部１７によって、通知装置本体１と通知音声出力装置２とが非接続状態であることが確認されると、通知情報表示部１９が受信情報記憶部１４に格納された情報に基づいて、着信を通知するための情報をディスプレイに表示する（ステップＳ７）。そして、通知音出力部１８が、予め通知装置１内に準備されている音信号を、着信を通知するための通知音として出力し（ステップＳ８）、一連の処理を終了する。
【０１１２】
次に、発信元情報取得処理ステップＳ２における詳細な処理内容について、別のフローを参照して説明する。図４は、ステップＳ２の詳細な処理内容を示すフローチャートである。
【０１１３】
図４に示すように、情報解析部１２で行われる発信元情報取得処理は、受信情報解析処理ステップＳ２−１と、発信元有無情報保存処理ステップＳ２−２と、発信元有無情報確認処理ステップＳ２−３と、発信元情報保存処理ステップＳ２−４と、呼称・表示データ検索処理ステップＳ２−５と、呼称・表示データ有無情報保存処理ステップＳ２−６と、呼称データ有無情報確認処理ステップＳ２−７と、呼称データ保存処理ステップＳ２−８と、表示データ有無情報確認処理ステップＳ２−９と、表示データ保存処理ステップＳ２−１０と、で構成される。
【０１１４】
情報解析部１２は、受信部１１より受信された通信データが与えられると、この通信データに含まれる情報の解析を行う（ステップＳ２−１）。このとき、通信データに電話番号、電子メールアドレスなどの発信元情報が含まれているか否かを示す発信元有無情報を受信情報記憶部１４に格納する（ステップＳ２−２）。
【０１１５】
また、発信元有無情報の記載に基づいて通信データに発信元情報が存在するか否かの判定を行い（ステップＳ２−３）、発信元情報が存在しなければ（ステップＳ２−３においてＮｏ）、ステップＳ２の処理を終了して接続状態判定処理ステップＳ３へ進む。一方、発信元情報が存在すれば（ステップＳ２−３においてＹｅｓ）、この発信元情報を受信情報記憶部１４に格納する（ステップＳ２−４）。
【０１１６】
発信元情報が格納された後、情報解析部１２は、呼称データ管理部１３を参照して当該発信元情報に該当する呼称データ及び表示データが呼称データ管理部１３に格納されている呼称データ管理表３４に含まれるか否かの検索を行う（ステップ２−５）。すなわち、ステップＳ２−４で受信情報記憶部１４に格納された発信元情報（電話番号、電子メールアドレスなど）が、呼称データ管理表３４で管理される発信元情報（電話番号、電子メールアドレスなど）中に含まれるかどうかを検索する。そして、ステップＳ２−５で行われた検索の結果を受信情報記憶部１４に格納する（ステップＳ２−６）。
【０１１７】
そして、受信情報記憶部１４に格納された検索結果に基づいて、発信元情報に該当する呼称データが存在するか否かを確認する（ステップＳ２−７）。発信元情報に該当する呼称データが存在しなければ（ステップＳ２−７においてＮｏ）、表示データ有無情報確認処理ステップＳ２−９へ進む。一方、呼称データが存在すれば（ステップＳ２−７においてＹｅｓ）、該当する呼称データを受信情報記憶部１４に格納する（ステップＳ２−８）。
【０１１８】
呼称データ処理が完了すると、同様に表示データについての処理を行う。すなわち、受信情報記憶部１４に格納された検索結果に基づいて発信元情報に該当する表示データが存在するか否かを判定し（ステップＳ２−９）、発信元情報に該当する表示データが存在しなければ（ステップＳ２−９においてＮｏ）、ステップＳ２の一連の処理を終了して次の接続状態判定処理ステップＳ３に進む。一方、表示データが存在すれば（ステップＳ２−９においてＹｅｓ）、該当する表示データを受信情報記憶部１４に格納し（ステップＳ２−１０）、次の接続状態判定処理ステップＳ３に進む。
【０１１９】
なお、図４において、呼称データに関する処理と、表示データに関する処理は、その処理順序が前後する構成であっても構わない。
【０１２０】
次に、接続状態判定処理ステップＳ３における詳細な処理内容について、別のフローを参照して説明する。図５は、ステップＳ３の詳細な処理内容を示すフローチャートである。
【０１２１】
図５に示すように、接続判定部１５で行われる接続状態判定処理は、通知音声出力装置接続判定処理ステップＳ３−１と、接続確認処理ステップＳ３−２と、人体接触判定処理ステップＳ３−３と、接続確認処理ステップＳ３−４と、接続状態保存処理ステップＳ３−５、Ｓ３−６とで構成される。
【０１２２】
接続判定部１５は、制御部２３より接続判定指示が与えられると、接続部２２を介して通知音声出力装置と接続されているか否かの判定を行う（ステップＳ３−１）。具体的には、上述したように通電判定部（不図示）によって通電されているか否かによって判定を行うものとしてもよいし、無線接続が確立されているか否かによって判定を行うものとしてもよい。
【０１２３】
ステップＳ３−１終了後、接続判定結果の確認処理ステップＳ３−２へ進み、接続が確認されなかった場合（ステップＳ３−２でＮｏ）、接続が確認されなかった旨の内容を接続状態記憶部１６に格納して（ステップＳ３−６）、接続状態判定処理ステップＳ３を終了する。一方、接続が確認された場合（ステップＳ３−２でＹｅｓ）、人体接触判定処理ステップＳ３−３へ進み、通知音声出力装置２が人体と接触しているか否かの判定を行う。具体的には、上述したようにスピーカ近傍にセンサ（不図示）を設置し、接続部２２を介して得られるセンサ情報を分析してこの分析結果に基づいて通知音声出力装置２が人体に接触しているか否かを判定するものとしてもよい。
【０１２４】
ステップＳ３−３終了後、人体接触判定結果の確認処理ステップＳ３−４へ進み、接触が確認されなかった場合（ステップＳ３−４でＮｏ）は、接触が確認されなかった旨の内容を接続状態記憶部１６に格納して（ステップＳ３−６）、接続状態判定処理ステップＳ３を終了する。一方、接触が確認されると（ステップＳ３−４でＹｅｓ）、接触が確認された旨の内容を接続状態記憶部１６に格納して（ステップＳ３−５）、接続状態判定処理ステップＳ３を終了する。
【０１２５】
次に、音声信号生成処理ステップＳ５における詳細な処理内容について、別のフローを参照して説明する。図６は、ステップＳ５の詳細な処理内容を示すフローチャートである。
【０１２６】
図６に示すように、音声合成部２１で行われる音声信号生成処理は、発信元情報有無確認処理ステップＳ５−１と、呼称データ有無確認処理ステップＳ５−２と、呼称データ取得処理ステップＳ５−３と、呼称データ読み上げ音声合成信号生成処理ステップＳ５−４と、発信元情報取得処理ステップＳ５−５と、発信元情報読み上げ音声合成信号生成処理ステップＳ５−６と、読み上げ音声合成信号出力処理ステップＳ５−７と、着信通知信号出力処理ステップＳ５−８と、で構成される。
【０１２７】
音声合成部２１は、通知方法決定部１７より通知方法として選択され、通知指示が与えられると、受信情報記憶部１４を参照して発信元情報の有無を確認する（ステップＳ５−１）。そして、発信元情報が存在しない場合（ステップＳ５−１においてＮｏ）、予め定められた着信通知信号を接続部２２を介して通知音声出力装置２に送出する（ステップＳ５−８）。このとき、上述したように、予め準備された着信通知信号としては、例えば「ピピピピ」などの電子音、メロディ、歌、あるいは「デンワデス」などの定型音声データ、などで構成されるものとして構わない。さらには、通知装置１と通知音声出力装置２との間で接続が確認されなかった場合にステップＳ８において通知音出力部１８から出力される通知音と同一のデータを採用するものとしても構わない。
【０１２８】
一方、発信元情報が存在する場合（ステップＳ５−１においてＹｅｓ）、さらに受信情報記憶部１４を参照してこの発信元情報に該当する呼称データが存在するか否かの判定を行う（ステップＳ５−２）。
【０１２９】
呼称データが存在しない場合（ステップＳ５−２においてＮｏ）、受信情報記憶部１４に格納される発信元情報を取得し（ステップＳ５−５）、この発信元情報に対応した読み上げ音声合成信号を生成する処理を行う（ステップＳ５−６）。このとき、上述したように、該当する電話番号または電子メールアドレスをそのまま読み上げる構成の合成信号としても構わないし、所定の文言（例えば「からお電話です」など）を追加して読み上げる構成の合成信号としても構わない。
【０１３０】
一方、呼称データが存在する場合（ステップＳ５−２においてＹｅｓ）、受信情報記憶部１４より該当する呼称データを取得し（ステップＳ５−３）、この取得した呼称データに対応する読み上げ音声合成信号を生成する処理を行う（ステップＳ５−４）。このときも、上記と同様、さらに所定の文言を追加して読み上げる構成の合成信号としても構わない。さらに、電話番号などの発信元情報に関する音声合成信号をあわせて生成するものとしても構わない
【０１３１】
そして、ステップＳ５−６あるいはステップＳ５−４で生成された音声合成信号が、接続部２２を介して通知音声出力装置２に送出される（ステップＳ５−７）。
【０１３２】
このような処理内容で構成される通知装置１の実施例について以下に図面を参照して説明を行う。図７は、通知装置１を携帯電話機に適用するとともに、通知音声出力装置２をヘッドホンに適用したときの状態を示している。
【０１３３】
なお、図７において、図７（ａ）が通知装置１と通知音声出力装置２とが接続されていない状態を示しており、図７（ｂ）が通知装置１と通知音声出力装置２とが接続され、かつ通知音声出力装置２が利用者と接触された状態を示している。また、以下では、通知装置１を携帯電話機４１と、通知音声出力装置２をヘッドホン４５と置き換えて説明を行う。そして、携帯電話機４１には、画面表示のためのディスプレイ４２と、音声出力のためのスピーカ４３とが備えられているものとする。ここでディスプレイ４２は通知情報表示部１９に相当し、スピーカ４３は通知音出力部１８に相当する。
【０１３４】
携帯電話機４１とヘッドホン４５とが接続されていない場合（図７（ａ））に電話またはメールを着信すると、発信元の情報がディスプレイ４２に表示される（ステップＳ７）とともに、着信を示す所定の通知音がスピーカ４３より出力される（ステップＳ８）。
【０１３５】
すなわち、ヘッドホンが接続されてないため、携帯電話機４１に付属のスピーカから音が出力される構成、換言すれば、周囲の人にも聴取可能な構成であるが、発信者情報に基づいて読み上げ合成信号を作成するなどの処理（ステップＳ５）を施していないため、携帯電話機４１に着信した旨の情報のみが当該通知音の聴取可能な範囲内に存在する人間に通知されることになり、発信者の情報が周囲の人間に通知されることはない。
【０１３６】
また、ディスプレイ４２に発信元に関する情報が表示されることにより、利用者はこのディスプレイ４２を確認することで発信元に関する情報を取得することができる。
【０１３７】
一方、携帯電話機４１とヘッドホン４５とが接続されており、かつヘッドホン４５が利用者と接触されている場合（図７（ｂ））に電話またはメールを着信すると、発信元に関する情報が例えば「ヤマダタ△△サンカラデンワデス」のような読み上げ音声によってヘッドホン４５から出力される。利用者はこのヘッドホン４５からの出力音声によって発信者の情報を取得できる一方、ヘッドホン４５を介して音声が出力されているため周囲の人間に聴取されることがなく、結果的に発信者の情報が周囲の人間に通知されることがない。
【０１３８】
このように、本発明の構成によれば、通知装置１が通知音声出力装置２と接続されており、かつ通知音声出力装置２と人体とが接触されていて通知音声出力装置２からの音声が聴取可能な構成になっている状況である場合には、発信者情報を読み上げ音声によって出力する一方、通知装置１が通知音声出力装置２と接続されていない場合には、予め用意された通知音を出力することで、周囲の人間に発信者情報を通知しないようにすることができる。
【０１３９】
すなわち、本発明の構成によれば、通知音声出力装置２の状態に応じて、通知時に出力される通知信号を変化させることによって、周囲の人間に聴取可能な状況下では発信者情報を通知せず、周囲の人間に聴取されない状況下において発信者情報を通知することが可能となるため、発信者に関する情報を周囲の人間に通知することなく、利用者にのみ通知することができる。
【０１４０】
なお、図３に示すフローチャートでは、通知情報表示処理ステップＳ７を通知音出力処理ステップＳ８の前段としたが、通知音出力後に通知情報表示を行うものとしても構わないし、通知装置本体１と通知音声出力装置２との接続状態にかかわらず通知情報の表示を行うものとしても構わない。すなわち、ステップＳ７をステップＳ４の前段処理としてもよい。
【０１４１】
また、通知音声出力装置２が通知装置本体１に接続されているか否かに関わらず、通知音出力部１８から所定の通知音を出力する構成としても構わない。このように構成した場合においても、周囲の人間に通知されるのは所定の通知音であって、一方、通知音声出力装置２が接続されている場合には発信者に関する情報が通知音声出力装置２から出力されるので、利用者は通知音声出力装置２から発信者に関する情報を取得することができる。
【０１４２】
この場合、通知音声出力装置２が人体に接触しているか否かの判定（ステップＳ３−３、Ｓ３−４）を省略するものとしてもよい。すなわち、通知音声出力装置２が通知装置１に接続されていれば、通知音声出力装置２からは発信者に関する情報が出力される一方、通知装置１からは所定の通知音が出力されるため、通知音声出力装置２を通知装置１に接続させたまま利用者自身には接触させない状態にしていた場合、利用者は通知音声出力装置２から出力される発信者情報が聴取できないものの、通知装置１から出力される通知音を聴取可能であるため、少なくとも着信があったことを認識することができる。そして、この状態で通知音声出力装置２を利用者に接触させることによって、発信者に関する情報を取得することができる。
【０１４３】
＜第２の実施形態＞
本発明の第２の実施形態について、図面を参照して説明する。なお、本実施形態の通知装置１は、図８に示すように、第１の実施形態における通知装置１から呼称データ管理部１３と通知音出力部１８とを省略した構成であり、他の部分については同一であるため各構成要素についての説明を省略する。
【０１４４】
本実施形態における通知装置１は、受信部１１において受信した情報の内容を通知情報表示部１９による表示、あるいは通知音声出力部２９による音声出力によって利用者に通知する構成である。
【０１４５】
通知装置１に対して、通信網を介して受信部１１に情報（例えば、電子メール）が与えられると、この電子メールが情報解析部１２に送られて当該データの解析が行われる。そして、情報解析部１２において、受信したデータが電子メールであることが判別されると、このデータの内容が受信情報記憶部１４に格納される。
【０１４６】
そして、利用者が、通知装置１に対して保存された電子メールの内容を取得する指示（この指示内容については後述する）を行うと、接続判定部１５が接続部２２を確認して、通知装置１と通知音声出力装置２との接続の確認を行い、判定結果を接続状態記憶部１６に格納する。
【０１４７】
次に、通知方法決定部１７が接続状態記憶部１６を参照して、通知音声出力装置２が通知装置１と接続されているか否かの判定を行い、接続されていれば音声合成部２１に対して音声信号生成指示を与え、接続されていなければ通知情報表示部１９に対して表示すべき情報を取得する指示を与える。
【０１４８】
音声合成部２１は、音声信号生成指示が与えられると、受信情報記憶部１４を参照して該当する情報（電子メールのサブジェクト、本文）を取得し、この取得した情報の内容に基づいて音声信号を生成する（例えば、「ウチアワセノケン」、「カクイ  ヤマダタ△△デス  ホンジツヨテイノウチアワセワ  エンキシマス  イジョウ」など）。そして、この生成された音声信号を接続部２２を介して通知音声出力装置２に出力する。
【０１４９】
そして、通知音声出力装置２に与えられた当該音声信号は、通知音声出力部２９において利用者が聴取できる形式に変換された後、外部に出力される。
【０１５０】
一方、通知情報表示部１９は、通知方法決定部１７より通知情報を表示する指示が与えられると、受信情報記憶部１４を参照して該当する情報（電子メールのサブジェクト、本文）を取得し、当該内容の情報を表示する。
【０１５１】
このように構成されるとき、通知音声出力装置２が通知装置１と接続されており、また通知音声出力装置２が利用者自身と接触している場合に、利用者が通知装置１に対して受信した情報の内容を確認する指示を行うと、当該情報の内容が通知音声出力装置２から音声出力される一方、通知音声出力装置２が通知装置１と接続されていない場合、あるいは通知音声出力装置２と通知装置１とが接続されているものの通知音声出力装置２が利用者と接触していない場合には、通知情報表示部１９に当該内容が表示される。
【０１５２】
すなわち、通知音声出力装置２が通知装置１と接続されており、さらに利用者と通知音声出力装置２とが接触している場合、受信した情報の内容が合成音声として通知音声出力部２９から出力されるため、利用者はこの通知音声出力部２９から出力される音声を聴取することで内容を把握することができる一方、周囲の人間に当該内容が公開されることがない。
【０１５３】
一方、通知音声出力装置２が通知装置１と接続されていない場合、あるいは接続されてはいるものの通知音声出力装置２が利用者と接触されていない場合、受信した情報の内容が通知情報表示部１９に表示されるため、利用者はこの通知情報表示部１９を確認することによって視覚的に当該情報の内容を把握することができる。なお、このとき情報の内容が音声として出力されることがないので、接続されている場合と同様、周囲の人間に当該内容が公開されることがない。
【０１５４】
従って、本実施形態の場合においても、通知音声出力装置２の接続状態に応じて、通知時に出力される通知信号を変化させることによって、周囲の人間に聴取可能な状況下では発信者情報を通知せず、周囲の人間に聴取されない状況下において発信者情報を通知することが可能となるため、発信者に関する情報を周囲の人間に通知することなく、利用者にのみ通知することができる。
【０１５５】
なお、利用者が通知装置１に対して受信済み情報の内容を確認するときの指示方法としては、例えば通知装置１に備えられた操作子（不図示）を利用者が操作することで、この操作子が操作された旨の信号を制御部２３に与え、制御部２３が接続判定部１５に通知音声出力装置２と接続されているか否かの判定を指示するものとしても構わない。また、利用者が所定の音声（例えば「メールチェック」など）を発することで、当該音声を通知装置１が認識すると制御部２３が同様に接続判定部１５に対して接続判定指示を行うものとしても構わない。
【０１５６】
また、本実施形態の構成は、第１の実施形態に示される通知装置１の構成から一部の構成要素を省略したものであるため、第１の実施形態と同一の構成の通知装置であっても同様の機能を備えることができる。
【０１５７】
このとき、第１の実施形態で上述したように、着信通知時において発信者に関する情報を周囲の人間に通知することなく、利用者にのみ通知することができるのに加え、受信された電子メールなどの受信情報の内容についても、併せて周囲の人間に通知することなく利用者のみに通知することが可能となる。
【産業上の利用可能性】
【０１５８】
本発明の通知装置は、携帯電話等の携帯型通信機器に対して特に好適に利用され得る。
【図面の簡単な説明】
【０１５９】
【図１】は、第１の実施形態における通知装置の概略構成を示すブロック図である。
【図２】は、呼称データ管理表の一例である。
【図３】は、図１の通知装置で実行される通知処理の流れを示すフローチャートである。
【図４】は、図３のフローにおけるステップＳ２の詳細な処理内容を示すフローチャートである。
【図５】は、図３のフローにおけるステップＳ３の詳細な処理内容を示すフローチャートである。
【図６】は、図３のフローにおけるステップＳ５の詳細な処理内容を示すフローチャートである。
【図７】は、第１の実施形態の通知装置の一実施例を示す図である。
【図８】は、第２の実施形態における通知装置の概略構成を示すブロック図である。
【符号の説明】
【０１６０】
１、１ａ    通知装置
２    通知音声出力装置
１１    受信部
１２    情報解析部
１３    呼称データ管理部
１４    受信情報記憶部
１５    接続判定部
１６    接続状態記憶部
１７    通知方法決定部
１８    通知音出力部
１９    通知情報表示部
２１    音声合成部
２２    接続部
２３    制御部
２９    通知音声出力部
３０    呼称データ管理表
３１    表示データ
３２    呼称データ
３３    電話番号
３４    メールアドレス
４１    携帯電話機
４２    ディスプレイ
４３    スピーカ
４５    ヘッドホン
【図１】
2006325116.tif 000003
【図２】
2006325116.tif 000004
【図３】
2006325116.tif 000005
【図４】
2006325116.tif 000006
【図５】
2006325116.tif 000007
【図６】
2006325116.tif 000008
【図７】
2006325116.tif 000009
【図８】
2006325116.tif 000010